(57)【要約】【課題】蓋部が一体に設けられ、簡単に計量操作できる定量キャップを得る。【解決手段】蓋部１４に、外周面から張り出し弾性変形可能な係止片３６を設けると共に、キャップ本体１２には略コ字状に張り出す被係合部２８を設けている。この被係合部２８によって形成された貫通孔４２に係止片３６を挿通させ、被係合部２８の先端下縁部に係止片３６を係止させて、蓋部１４とキャップ本体１２とを一体にすることで、蓋部１４を開放させても、蓋部１４がキャップ本体１２から離れることはないため、蓋部１４が紛失する恐れはない。また、吐出口４８の中心線Ｐ２を、ノズル部２０の軸芯線Ｐ１に対してズレた状態で配置し、吐出口４８の中心線Ｐ２上に蓋部１４の底面１４Ａが配置されるようにすることで、内容物を蓋部１４に移すとき確実に収容させることができる。【選択図】　　図２
2004099126.tif 000002
【特許請求の範囲】
【請求項１】
内容物が収容された容器に装着されるキャップ本体と、
前記キャップ本体に設けられ、前記容器に形成された口部と連通するノズル部と、
前記キャップ本体に回動可能に軸支され、前記ノズル部を覆うと共に、開放状態で計量部となる蓋部と、
前記蓋部の底面に突設され、蓋部が閉止されたとき前記ノズル部の吐出口を閉塞する閉塞部と、
を有することを特徴とする定量キャップ。
【請求項２】
前記蓋部が閉止されたとき前記ノズル部の吐出口を閉塞する閉塞部が蓋部の底面に突設されたことを特徴とする請求項１に記載の定量キャップ。
【請求項３】
前記ノズル部が略円筒状に形成され、ノズル部の軸芯線と前記吐出口の中心線をズラし、吐出口の中心線上に、開放された蓋部の底面が位置することを特徴とする請求項１又は２に記載の定量キャップ。
【請求項４】
前記キャップ本体に設けられ、前記蓋部の回動中心側に位置する被係合片と、
前記蓋部に設けられ、蓋部の回動に伴って前記被係合片と係合し、所定角度においてロックされる係合片と、
を有することを特徴とする請求項１〜３の何れかに記載の定量キャップ。
【請求項５】
前記所定角度が、前記蓋部の開放角度４５度から８０度の範囲であることを特徴とする請求項４に記載の定量キャップ。
【請求項６】
前記蓋部が透明又は半透明であることを特徴とする請求項１〜５の何れかに記載の定量キャップ。
【請求項７】
前記蓋部が円筒形であり、蓋部の底面から縁部に渡って蓋部の周壁を外側へ傾斜させ、蓋部の回動中心の反対側の周壁の傾斜角度を他の部分より大きくしたことを特徴とする請求項１〜６の何れかに記載の定量キャップ。
【発明の詳細な説明】
【０００１】
【発明の属する技術分野】
本発明は、容器内に収容された液体又は固体などの内容物を計量する定量キャップに関する。
【０００２】
【従来の技術】
従来では、図５に示すように、液体等を収容する容器１００の開口に設けられた口部（図示省略）には、ネジ部１０２Ａの螺合によりキャップ１０２が着脱可能に設けられている。このキャップ１０２には目盛り１０４が設けられており、キャップ１０２を口部から取り外した後、容器１００内の内容物を目盛り１０４に合わせて計量しながらキャップ１０２に移し，計量された内容物を使用する（特許文献１）。
【０００３】
ここでは、容器１００の開口を閉塞させるキャップ１０２が、計量機能を兼ねているため、大変便利であるが、キャップ１０２は容器１００と別体であり、キャップ１０２を口部から取り外した後、キャップ１０２を紛失する恐れもある。
【０００４】
一方、図６では、キャップ本体１０６と蓋部１０８とをヒンジ部１１０で連結し、キャップ本体１０６と蓋部１０８を一体に設けている。ここで、キャップ本体１０６には、容器１１２の開口１１２Ａと連通するノズル１１６と、容器１１２を倒立させた状態でノズル１１６から流出した内容物１１４を容器１１２の起立時に貯留する内容物貯留部１１８と、内容物貯留部１１８に設けられ内容物流通管１２０を介して内容物貯留部１１８と連通する計量部１２２と、が備えられており、キャップ本体１０６は容器１１２に設けられた口部１１２Ｂに装着される（特許文献２）。
【０００５】
ここでは、蓋部１０８を開放させた状態で容器１１２を倒立させると、内容物１１４は、容器１１２の口部１１２Ｂからノズル１１６を通過して内容物貯留部１１８に貯留される。このように内容物貯留部１１８に貯留された内容物１１４によって、ノズル１１６の先端部が塞がれると、内容物貯留部１１８の内圧と容器１１２の内圧とがバランスした時点で内容物１１４の流動は止まるため、内容物１１４が内容物流通管１２０を通過することはなく、蓋部１０８が開放された状態でも、内容物１１４が外へ飛び出すことはない。
【０００６】
この状態で容器１１２を起立させると、内容物貯留部１１８には内容物１１４が貯留されたままの状態となる。そして、この状態で、容器１１２の胴部を押圧すると、内容物１１４は、内容物貯留部１１８から内容物流通管１２０を通過して計量部１２２へ貯留される。このように計量部１２２によって計量された内容物１１４を使用する。
【０００７】
ここで、蓋部１０８はキャップ本体１０６と一体となっているため、蓋部１０８が紛失するという問題は生じないが、内容物１１４を計量する際に、容器１１２を倒立させたり、起立させたりする必要があり、面倒である。
【０００８】
また、キャップ本体１０６内に計量部１２２とは別に内容物貯留部１１８を設けると共に、ノズル１１６とは別に内容物貯留部１１８と計量部１２２とを連通させる内容物流通管１２０を設けなければならないため、金型構造が複雑となり、コストアップとなってしまう。
【０００９】
【特許文献１】
特開平９−２６７８５７号公報（第２頁、図１）
【特許文献２】
特開平９−２５０９号公報（第３頁、図１）
【００１０】
【発明が解決しようとする課題】
本発明は上記事実を考慮し、蓋部が一体に設けられ、簡単に計量操作できる定量キャップを提供することを課題とする。
【００１１】
【課題を解決するための手段】
請求項１に記載の発明は、内容物が収容された容器に装着されるキャップ本体と、前記キャップ本体に設けられ、前記容器に形成された口部と連通するノズル部と、前記キャップ本体に回動可能に軸支され、前記ノズル部を覆うと共に、開放状態で計量部となる蓋部と、を有することを特徴としている。
【００１２】
請求項１に記載の発明では、蓋部がキャップ本体に回動可能に軸支されているため、蓋部を開放させても、蓋部がキャップ本体から離れることはないので、蓋部が紛失する恐れはない。
【００１３】
請求項２に記載の発明では、蓋部が閉止されたときノズル部の吐出口を閉塞する閉塞部を蓋部の底面から突設させている。このように、蓋部の底面に吐出口を閉塞する閉塞部を設けることで、蓋部を閉止させた状態で、容器内への空気の進入を防ぎ、内容物の酸化を防止すると共に、外気による汚染、又は、品質劣化などを防止することができる。
【００１４】
請求項３に記載の発明では、ノズル部が略円筒状に形成され、ノズル部の軸芯と吐出口の中心をズラし、吐出口の中心線上に、開放された蓋部の底面が配置されるようにしている。
【００１５】
例えば、ノズル部の軸芯と吐出口の中心とが一致するようにした場合、内容物を蓋部に移すときに、蓋部の開放角度によっては吐出口の中心線上に蓋部の底面が配置されない場合があり、容器内の内容物が勢い良く吐出した場合に内容物が蓋部に収容されず外へ飛び出してしまう場合もある。
【００１６】
しかし、ノズル部の軸芯と吐出口の中心をズラすと共に、吐出口の中心線上に、開放された蓋部の底面が配置されるようにすることで、内容物を蓋部に移すとき、蓋部内に確実に収容させることができる。
【００１７】
請求項４に記載の発明では、キャップ本体には、蓋部の回動中心側に被係合片を設けている。一方、蓋部には、蓋部の回動に伴って被係合片と係合する係合片を設けており、この係合片は所定角度においてロックされる。
【００１８】
このように、所定角度においてロックされる係合片を設けることで、内容物を蓋部に移すときに、蓋部が回動しないようにすることができ、片手での計量操作が可能である。
【００１９】
請求項５に記載の発明では、所定角度を、蓋部の開放角度４５度から８０度の範囲としている。
【００２０】
請求項６に記載の発明では、蓋部を透明又は半透明としている。これにより、蓋部内に移された内容物の量が見やすくなり、内容物の計量を確実に行うことができる。
【００２１】
請求項７に記載の発明では、蓋部が円筒形を成しており、蓋部の底面から縁部に渡って蓋部の周壁を外側へ傾斜させ、蓋部の回動中心の反対側の周壁の傾斜角度を他の部分より大きくしている。これにより、蓋部内の内容物を他の容器等へ移すときに、注ぎ易くしている。
【００２２】
【発明の実施の形態】
本発明の実施の形態に係る定量キャップについて説明する。
【００２３】
図１〜図３に示すように、キャップ１０は略円筒状のキャップ本体１２と、キャップ本体１２の上面部１２Ａを覆う蓋部１４と、に大別されている。キャップ本体１２の内周面側には雌ネジ部１２Ｂが形成されており、容器１６の口部１８に形成された雄ねじ部１８Ａと螺合可能となっている。また、キャップ本体１２の上面部１２Ａには略円筒状のノズル部２０が立設し、容器１６の開口１６Ａと連通している。
【００２４】
また、キャップ本体１２の上面部１２Ａの周縁部には、キャップ本体１２の外周壁から延出して環状リブ２２が形成されており、この環状リブ２２の内周上縁部には、環状リブ２２の周方向に沿って複数の突起部２４が環状リブ２２の軸芯側に向かって突設されている。また、環状リブ２２の内周面には、キャップ本体１２の上面部１２Ａの外縁側と環状リブ２２の基部側とを架け渡す環状の小径段部２６が設けられている。
【００２５】
さらに、環状リブ２２の外周面からは、略コ字状に張り出した被係合部２８が設けられている。この被係合部２８の、環状リブ２２の外周面と対面する先端壁中央部からは、被係合片３０が上方に向かって延出しており、被係合片３０の先端部には、爪部３２が形成されている。
【００２６】
一方、蓋部１４は透明色で成形されており、略円筒状を成し、周壁の一部には、フラット面部３４が形成されている。このフラット面部３４の外周縁部には、フラット面部３４に対して略垂直に張り出す係止片３６が設けられている。この係止片３６の基部にはヒンジ部３８が形成されており、ヒンジ部３８を弾性変形させることで係止片３６が蓋部１４に対して揺動可能となる。
【００２７】
また、係止片３６は略Ｔ字状に形成され、先端部を幅広にしており、先端部の上面側には係止部４０が突設されている。この係止部４０はキャップ本体１２の被係合部２８によって形成された貫通孔４２を挿通可能となっており、貫通孔４２を挿通した後、被係合部２８の下方に位置しキャップ本体１２の外周面から張り出したストッパ３７に当接した状態で被係合部２８の先端壁下縁部に係止される。
【００２８】
これにより、蓋部１４がキャップ本体１２と一体になると共に、ヒンジ部３８を中心にキャップ本体１２に対して蓋部１４が回動可能となる。また、フラット面部３４には係止片３６の上方に、係合片４４が張り出しており、先端部には爪部３２と係合可能な爪部４５が形成されている。
【００２９】
また、係合片４４は、蓋部１４の係止片３６がキャップ本体１２の被係合部２８の先端下縁部に係止された状態で、係合片４４の移動軌跡上には、キャップ本体１２の被係合片３０が配置されている。さらに、係合片４４には、係合片４４とフラット面部３４の外面を架け渡す当接片４６が形成されている。
【００３０】
ここで、図２に示すように、蓋部１４の開放角度が、４５度になった状態で、係合片４４の爪部４５が被係合片３０の爪部３２と係合する。このとき、当接片４６が被係合片３０の先端部に当接し、これにより、蓋部１４がロックされ、開放角度が維持される。
【００３１】
ところで、ノズル部２０は、キャップ本体１２の軸芯から蓋部１４の回動中心側にズレた位置に配置されており、ノズル部２０の吐出口４８は、ノズル部２０の先端面２０Ａの蓋部１４の回動中心側から周壁２０Ｂに渡って設けられ、吐出口４８の中心線Ｐ２は、ノズル部２０の軸芯線Ｐ１に対してズレた状態で配置され、蓋部１４が開放された状態で吐出口４８の中心線Ｐ２上に蓋部１４の底面１４Ａが配置される。
【００３２】
一方、フラット面部３４の内面側からは、蓋部１４の底面１４Ａと架け渡した状態で、略矩形状の閉塞片５０が張り出している。この閉塞片５０の角部は、蓋部１４を閉止させた状態で、キャップ本体１２のノズル部２０の吐出口４８の周縁部と当接し、吐出口４８を閉塞可能となっている。
【００３３】
さらに、蓋部１４のフラット面部３４の反対側の周壁には、蓋部１４の底面１４Ａから内周縁部に渡って蓋部１４の他の周壁よりも外側へ大きく傾斜した注ぎ部５２が設けられている。また、蓋部１４の外周縁部は、キャップ本体１２の環状リブ２２よりも小径となっており、環状リブ２２に設けられた爪部３２に係止可能な爪部５４が設けられている。
【００３４】
蓋部１４を閉止させるとき、蓋部１４の外周縁部を環状リブ２２内に挿入し、爪部５４の先端部が小径段部２６に当接した状態で、爪部５４が爪部３２に係止される。これにより、蓋部１４が完全に閉止される。
【００３５】
ここで、蓋部１４の周壁には、蓋部１４の回動中心の反対側に舌部５６が張り出しており、蓋部１４を完全に閉止させた状態でキャップ本体１２の外周面から張り出している。この舌部５６の下面に手を掛けて蓋部１４を上方へ持ち上げると蓋部１４がヒンジ部３８を中心に回動する。
【００３６】
ところで、蓋部１４の外周面には目盛り５８が設けられており、容器１６内に収容された内容物６２（液体或いは粉末などの固体）を目盛り５８の量に合わせて蓋部１４内に注ぐことで、定量の内容物６２を得ることができる。
【００３７】
次に、本形態に係る定量キャップの作用について説明する。
【００３８】
図３に示すように、蓋部１４を閉止状態から４５度開放させると、係合片４４が被係合片３０と係合すると共に、当接片４６が被係合片３０の先端部に当接して、蓋部１４がロックされ、蓋部１４の開放角度が維持される。
【００３９】
この状態で、図４に示すように、容器１６を傾けると共に、蓋部１４の上面を載置台６０に面接させる。そして、容器１６の側部を押圧する。これにより、容器１６内に収容された内容物６２は吐出口４８から蓋部１４へ吐出される。このとき、蓋部１４の目盛り５８に従って内容物６２を吐出させ、所望する量の内容物６２を得ることができる。
【００４０】
また、キャップ本体１２に、蓋部１４の回動中心側に被係合片３０を設け、蓋部１４には、蓋部１４の回動に伴って被係合片３０と係合する係合片４４及び係合片４４とフラット面部３４の外面を架け渡す当接片４６を設けている。
【００４１】
これにより、蓋部１４の開放角度が４５度になった状態で、係合片４４と被係合片３０とを係合させると共に、当接片４６を被係合片３０の先端部に当接させて、蓋部１４をロックし、開放角度を維持することで、内容物６２を蓋部１４に移すときに、蓋部１４が回動しないようにすることができ、片手での計量操作が可能となる。
【００４２】
なお、ここでは、蓋部１４の開放角度が４５度になった状態で、蓋部１４がロックされ、開放角度が維持されるようにしたが、蓋部１４の開放角度が８０度までの範囲であれば良く、４５度に限るものではない。
【００４３】
ここで、蓋部１４に、外周面から張り出し弾性変形可能な係止片３６を設けると共に、キャップ本体１２には略コ字状に張り出す被係合部２８を設けている。この被係合部２８によって形成された貫通孔４２に係止片３６を挿通させ、被係合部２８の先端下縁部に係止片３６を係止させて、蓋部１４とキャップ本体１２とを一体にしている。
【００４４】
このように、蓋部１４とキャップ本体１２とを一体にすることで、蓋部１４を開放させても、蓋部１４がキャップ本体１２から離れることはないため、蓋部１４が紛失する恐れはない。
【００４５】
また、組立によって一体化するため、蓋部１４及びキャップ本体１２の金型構造を単純化させることができ、加工費の削減を図ることができる。なお、蓋部１４とキャップ本体１２を互いに連設させ一体にした形状であっても勿論良い。
【００４６】
また、蓋部１４の底面１４Ａに吐出口４８を閉塞する閉塞片５０を設けることで、蓋部１４を閉止させた状態で、容器１６内への空気の進入を防ぎ、内容物６２の酸化を防止すると共に、外気による汚染、又は、品質劣化などを防止することができる。
【００４７】
さらに、図１〜図４に示すように、ノズル部２０の吐出口４８を、ノズル部２０の先端面２０Ａの蓋部１４の回動中心側から周壁２０Ｂに渡って設け、吐出口４８の中心線Ｐ２を、ノズル部２０の軸芯線Ｐ１に対してズレた状態で配置することで、蓋部１４が開放された状態で吐出口４８の中心線Ｐ２上に蓋部１４の底面１４Ａが配置されることとなる。
【００４８】
例えば、ノズル部２０の軸芯線Ｐ１と吐出口４８の中心線Ｐ２とが一致するようにした場合、内容物６２を蓋部１４に移すときに、蓋部１４の開放角度によっては吐出口４８の中心線Ｐ２上に蓋部１４の底面１４Ａが配置されない場合があり、容器１６内の内容物６２が勢い良く吐出した場合に内容物６２が蓋部１４に収容されず外へ飛び出してしまう場合もある。
【００４９】
しかし、吐出口４８の中心線Ｐ２を、ノズル部２０の軸芯線Ｐ１に対してズレた状態で配置し、吐出口４８の中心線Ｐ２上に蓋部１４の底面１４Ａが配置されるようにすることで、内容物６２を蓋部１４に移すとき、蓋部１４内に確実に収容させることができる。
【００５０】
また、蓋部１４を透明色で成形することで、蓋部１４内に移された内容物６２の量が見やすくなり、内容物６２の計量を確実に行うことができる。ここで、蓋部１４は透明色で成形することが望ましいが、ＰＥ、ＰＰ等のように成形材料の種類によっては透明色がない場合もあり、少なくとも半透明であれば良い。
【００５１】
さらに、蓋部１４のフラット面部３４の反対側の周壁に、蓋部１４の底面１４Ａから内周縁部に渡って蓋部１４の他の周壁よりも外側へ大きく傾斜した注ぎ部５２を設けることで、蓋部１４内の内容物６２を他の容器等へ移すときに、注ぎ易くなっている。
【００５２】
【発明の効果】
本発明は上記構成としたので、請求項１に記載の発明では、蓋部がキャップ本体に回動可能に軸支されているため、蓋部を開放させても、蓋部がキャップ本体から離れることはないので、蓋部が紛失する恐れはない。
【００５３】
請求項２に記載の発明では、蓋部の底面に吐出口を閉塞する閉塞部を設けることで、蓋部を閉止させた状態で、容器内への空気の進入を防ぎ、内容物の酸化を防止すると共に、外気による汚染、又は、品質劣化などを防止することができる。
【００５４】
請求項３に記載の発明では、ノズル部の軸芯と吐出口の中心をズラすと共に、吐出口の中心線上に、開放された蓋部の底面が配置されるようにすることで、内容物を蓋部に移すとき、蓋部内に確実に収容させることができる。
【００５５】
請求項４及び請求項５に記載の発明では、所定角度においてロックされる係合片を設けることで、内容物を蓋部に移すときに、蓋部が回動しないようにすることができ、片手での計量操作が可能である。
【００５６】
請求項６に記載の発明では、蓋部内に移された内容物の量が見やすくなり、内容物の計量を確実に行うことができる。請求項７に記載の発明では、蓋部内の内容物を他の容器等へ移すときに、注ぎ易くしている。
【図面の簡単な説明】
【図１】本発明の実施の形態に係る定量キャップが閉止された状態を示す断面図である。
【図２】本発明の実施の形態に係る定量キャップが開放された状態を示す断面図である。
【図３】本発明の実施の形態に係る定量キャップが取り付けられた容器が起立した状態を示す断面図である。
【図４】本発明の実施の形態に係る定量キャップが取り付けられた容器を傾け、蓋部に内容物を移している状態を示す断面図である。
【図５】従来の定量キャップを示す斜視図である。
【図６】従来の他の定量キャップを示す断面図である。
【符号の説明】
１０　　　キャップ（定量キャップ）
１２　　　キャップ本体
１４　　　蓋部
２０　　　ノズル部
３０　　　被係合片
４４　　　係合片
４６　　　当接片（係合片）
４８　　　吐出口
５０　　　閉塞片（閉塞部）
【図１】
2004099126.tif 000003
【図２】
2004099126.tif 000004
【図３】
2004099126.tif 000005
【図４】
2004099126.tif 000006
【図５】
2004099126.tif 000007
【図６】
2004099126.tif 000008